(57)【要約】      （修正有）【課題】ブラシ毛材が塗布液を塗布する塗布部長さを変化させて任意の塗布量を実現し、ユーザが多量塗布、少量塗布など自由に選ぶことが可能である。【解決手段】液塗布具１のシャフト２０は、中空シャフト２１と、この中空シャフト２１に回動可能に配置した調整シャフト２２により構成され、中空シャフト２１に対して調整シャフト２２を回動することにより、ブラシ毛材１１が塗布液を塗布する塗布部長さを変化可能に構成した。【選択図】図１
2018079143.tif 000002
【特許請求の範囲】
【請求項１】
放射状に外方に突出した多数のブラシ毛材を植毛してなるブラシ部材をシャフトに設け、このシャフトを把持して前記ブラシ毛材により塗布液を塗布する液塗布具であり、
前記シャフトは、中空シャフトと、この中空シャフトに回動可能に配置した調整シャフトにより構成され、
前記調整シャフトは、直線方向に並ぶようにブラシ毛材を放射状に外方に突出して植毛してなるブラシ部材を有し、
前記中空シャフトは、前記ブラシ部材のブラシ毛材を複数のブラシ毛材束に束ねることにより、ブラシ毛材束間に塗布液溜りを形成するブラシ間部形成部材を有し、
前記中空シャフトに対して前記調整シャフトを回動することにより、前記ブラシ毛材が塗布液を塗布する塗布部長さを変化可能に構成したことを特徴とする液塗布具。
【請求項２】
前記ブラシ間部形成部材は、直線方向に延びるコイルスプリングで構成し、
前記コイルスプリングの基部を、前記中空シャフトの先端部に取り付けたことを特徴とする請求項１に記載の液塗布具。
【請求項３】
前記ブラシ間部形成部材は、直線方向に延びる複数の柱部材で構成し、
前記複数の柱部材の基部を、前記中空シャフトの先端部に取り付け、または前記中空シャフトの先端部に一体形成したことを特徴とする請求項１に記載の液塗布具。
【請求項４】
前記ブラシ間部形成部材は、直線方向に延び、らせん状の溝、または直線状の溝を有する筒状部材で構成し、
前記筒状部材の基部を、前記中空シャフトの先端部に取り付け、または前記中空シャフトの先端部に一体形成したことを特徴とする請求項１に記載の液塗布具。
【発明の詳細な説明】
【技術分野】
【０００１】
この発明は、液塗布具に関し、特にマスカラブラシや毛染め用ブラシのように、塗布対象毛にマスカラや毛染め液などの塗布液を塗布する場合に適用して好適なものである。
【背景技術】
【０００２】
従来、例えばマスカラブラシとして、特許文献１に開示されているように、ブラシに付着させたマスカラを睫毛に塗布するものが用いられている。通常、多数のブラシ毛材を２つ折りとされた芯材で挟み、この芯材を巻き上げて多数のブラシ毛材が芯材から放射状になるように形成し、芯材基端が埋め込み固定されるハンドルから構成されるのが一般的である。
【先行技術文献】
【特許文献】
【０００３】
【特許文献１】特開平５−２２８０１８号公報
【発明の概要】
【発明が解決しようとする課題】
【０００４】
このように、従来のマスカラブラシは、芯材を巻き上げて多数のブラシ毛材が芯材から放射状になるように形成しており、ブラシ毛材の間に芯材の太さ分の隙間が生じており、この隙間に塗布液が溜まる。塗布液を塗布する際には、塗布液が溜まっている隙間の部分に数本の睫毛が入り込み塗布されるが、ブラシ毛材の長さによって隙間に溜まる塗布液量が異なるため、ユーザが多量塗布、少量塗布など自由に選ぶことができなかった。
【０００５】
この発明は、かかる実情に鑑みてなされたもので、ブラシ毛材が塗布液を塗布する塗布部長さを変化させて任意の塗布量を実現し、ユーザが多量塗布、少量塗布など自由に選ぶことが可能な液塗布具を提案しようとするものである。
【課題を解決するための手段】
【０００６】
前記課題を解決し、かつ目的を達成するために、この発明は、以下のように構成した。
【０００７】
請求項１に記載の発明は、放射状に外方に突出した多数のブラシ毛材を植毛してなるブラシ部材をシャフトに設け、このシャフトを把持して前記ブラシ毛材により塗布液を塗布する液塗布具であり、
前記シャフトは、中空シャフトと、この中空シャフトに回動可能に配置した調整シャフトにより構成され、
前記調整シャフトは、直線方向に並ぶようにブラシ毛材を放射状に外方に突出して植毛してなるブラシ部材を有し、
前記中空シャフトは、前記ブラシ部材のブラシ毛材を複数のブラシ毛材束に束ねることにより、ブラシ毛材束間に塗布液溜りを形成するブラシ間部形成部材を有し、
前記中空シャフトに対して前記調整シャフトを回動することにより、前記ブラシ毛材が塗布液を塗布する塗布部長さを変化可能に構成したことを特徴とする液塗布具である。
【０００８】
請求項２に記載の発明は、前記ブラシ間部形成部材は、直線方向に延びるコイルスプリングで構成し、
前記コイルスプリングの基部を、前記中空シャフトの先端部に取り付けたことを特徴とする請求項１に記載の液塗布具である。
【０００９】
請求項３に記載の発明は、前記ブラシ間部形成部材は、直線方向に延びる複数の柱部材で構成し、
前記複数の柱部材の基部を、前記中空シャフトの先端部に取り付け、または前記中空シャフトの先端部に一体形成したことを特徴とする請求項１に記載の液塗布具である。
【００１０】
請求項４に記載の発明は、前記ブラシ間部形成部材は、直線方向に延び、らせん状の溝、または直線状の溝を有する筒状部材で構成し、
前記筒状部材の基部を、前記中空シャフトの先端部に取り付け、または前記中空シャフトの先端部に一体形成したことを特徴とする請求項１に記載の液塗布具である。
【発明の効果】
【００１１】
前記構成により、この発明は、以下のような効果を有する。
【００１２】
請求項１乃至請求項４に記載の発明では、調整シャフトは、直線方向に並ぶようにブラシ毛材を放射状に外方に突出して植毛してなるブラシ部材を有し、中空シャフトは、ブラシ部材のブラシ毛材を複数のブラシ毛材束に束ねることにより、ブラシ毛材束間に塗布液溜りを形成するブラシ間部形成部材を有しており、ユーザは、中空シャフトに対して調整シャフトを回動することにより、ブラシ毛材が塗布液を塗布する塗布部長さを変化させて任意の塗布量を実現し、ユーザが多量塗布、少量塗布など自由に選ぶことができ、目的に応じた塗布が可能である。
【図面の簡単な説明】
【００１３】
【図１】液塗布具の断面図である。
【図２】ブラシ部材の接続部の拡大図である。
【図３】液塗布具の構成部材を示す図である。
【図４】図１のＩＶ−ＩＶ線に沿う断面図である。
【図５】液塗布具を液塗液容器から取り外す状態を示す図である。
【図６】液塗布具の使用時の調整を示す図である。
【図７】ブラシ間部形成部材の組み付けを示す図である。
【図８】ブラシ間部形成部材の組み付けを示す図である。
【図９】ブラシ間部形成部材の組み付けを示す図である。
【図１０】ブラシ間部形成部材の組み付けを示す図である。
【図１１】ブラシ間部形成部材を直線方向に延びる複数の柱部材で構成した実施の形態を示す図である。
【図１２】ブラシ間部形成部材を筒状部材で構成した実施の形態を示す図である。
【図１３】ブラシ間部形成部材を筒状部材で構成した実施の形態を示す図である。
【図１４】ブラシ間部形成部材を筒状部材で構成した実施の形態を示す図である。
【発明を実施するための形態】
【００１４】
以下、この発明の液塗布具の実施の形態について説明する。この発明の実施の形態は、発明の最も好ましい形態を示すものであり、この発明はこれに限定されない。この液塗布具は、マスカラブラシ、アイシャドウブラシ、アイブローブラシなど毛染め用ブラシのように塗布対象毛にマスカラや毛染め液などの塗布液を塗布するための塗布ブラシ、リップブラシ、ファンデーションブラシ、しみ隠しブラシ、美容液塗布ブラシなどの塗布ブラシなどに用いられる。また、爪へのマニキュア塗布にも使用でき、さらに化粧用に限定されることなく用いられる。
【００１５】
（液塗布具の構成）
この実施の形態の液塗布具を、図１乃至図４に基づいて説明する。図１は液塗布具の断面図、図２はブラシ部材の接続部の拡大図、図３は液塗布具の構成部材を示す図、図４は図１のＩＶ−ＩＶ線に沿う断面図である。
【００１６】
この実施の形態の液塗布具１は、放射状に外方に突出した多数のブラシ毛材１１を植毛してなるブラシ部材１０をシャフト２０に設け、このシャフト２０を把持してブラシ毛材１１により塗布液を塗布する構成である。
【００１７】
シャフト２０は、中空シャフト２１と、この中空シャフト２１に回動可能に配置した調整シャフト２２により構成される。中空シャフト２１は、頭部のキャップ２１ａに環状凹部２１ａ１が形成され、先端部の取付部２１ｂに接続リング２３が取り付けられる。キャップ２１ａには、ねじ２１ａ２が形成されており、キャップ２１ａは塗布液を収容した容器に係合して蓋をする。
【００１８】
調整シャフト２２は、頭部２２ａに環状突部２２ａ１とローレット部２２ａ２が形成され、環状突部２２ａ１がキャップ２１ａの環状凹部２１ａ１に係合され、ローレット部２２ａ２を摘まみ中空シャフト２１に対して調整シャフト２２を回動する。
【００１９】
調整シャフト２２は、直線方向に並ぶようにブラシ毛材１１を放射状に外方に突出して植毛してなるブラシ部材１０を有する。この実施の形態のブラシ部材１０は、２本の線材を互いにねじり合わせて構成した縦方向に延長する芯材１２と、芯材１２を中心として互いにねじり合わせた線材の間から放射状に外方に突出する多数のブラシ毛材１１を有する構成であり、芯材１２の基部を調整シャフト２２の先端部に差し込んで固定されている。
【００２０】
中空シャフト２１は、ブラシ部材１０のブラシ毛材１１を複数のブラシ毛材束に束ねることにより、ブラシ毛材束間に塗布液溜り２６を形成するブラシ間部形成部材２４を有する。この実施の形態のブラシ間部形成部材２４は、直線方向に延びるコイルスプリング２４ａで構成される。コイルスプリング２４ａは、ブラシ部材１０の先端側から回転しながら挿入し、基部を中空シャフト２１の先端部に突き当てるように組み付ける。
【００２１】
コイルスプリング２４ａの先端側から接続リング２３をねじ込み、この接続リング２３を中空シャフト２１の先端部２１ｂに螺着して取り付け、コイルスプリング２４ａの基部２４ａ１が接続リング２３により保持される。コイルスプリング２４ａは、金属製であるが、樹脂製、あるいは硬質ゴム製を用いることができる。
【００２２】
接続リング２３の螺着によって、段部２３ａがコイルスプリング２４ａの基部先端２４ａ１１を中空シャフト２１の先端部２１ｂに押圧して固定する。調整シャフト２２の先端部２２ｂに形成された段部２２ｂ１と中空シャフト２１の先端部２１ｂに形成した段部２１ｂ１の間にシール部材２５が設けられ、このシール部材２５は塗布液が中空シャフト２１の先端部２１ｂと調整シャフト２２の先端部２２ｂの間から浸入しないようにシールする。
【００２３】
調整シャフト２２は、中空シャフト２１に対して回動可能であり、調整シャフト２２の基準位置では、図４（ａ）に示すように、放射状に外方に突出した多数のブラシ毛材１１が直径Ｄ１であり、ブラシ毛材１１が塗布液を塗布する塗布部長さＬ１であるが、調整シャフト２２を回動すると、ブラシ毛材１１がコイルスプリング２４ａに押されながら下方に入り込んでいく。その結果、図４（ｂ）に示すように、放射状に外方に突出した多数のブラシ毛材１１が直径Ｄ２に変化して小さくなり、ブラシ毛材１１が塗布液を塗布する塗布部長さＬ２に変化して短くなる。
【００２４】
調整シャフト２２を基準位置から逆方向に回動すると、ブラシ毛材１１がコイルスプリング２４ａに押されながら上方に伸びていき、図４（ｃ）に示すように、放射状に外方に突出した多数のブラシ毛材１１が直径Ｄ３に変化して大きくなり、ブラシ毛材１１が塗布液を塗布する塗布部長さＬ３に変化して長くなる。
【００２５】
このように、中空シャフト２１に対して調整シャフト２２を回動することにより、塗布液溜まり２６と、ブラシ毛材１１が塗布液を塗布する塗布部長さが変化し、任意の塗布量を実現することができ、多量塗布、少量塗布など目的に応じた塗布が可能である。
【００２６】
［液塗布具の使用］
次に、液塗布具の使用を、図５及び図６に基づいて説明する。図５は液塗布具を液塗液容器から取り外す状態を示す図、図６は液塗布具の使用時の調整を示す図である。
【００２７】
この実施の形態の液塗布具１は、図５に示すように、シャフト２０のキャップ２１ａが塗布液を収容した液塗液容器１００に係合して蓋をした状態であり、ユーザがキャップ２１ａを液塗液容器１００から引き抜いて取り外す。このブラシ部材１０を液塗液容器１００に浸して引き抜いて液塗液容器１００のしごき部材１０１のしごき動作がなされたとき、複数のブラシ毛材束間の塗布液溜り２６に塗布液をしごかれずに保持するようになる。
【００２８】
このように、ユーザがキャップ２１ａを液塗液容器１００から取り外すことでブラシ毛材１１の複数のブラシ毛材束間の塗布液溜り２６に塗布液が付着して溜まるが、図６（ａ）に示すように、調整シャフト２２が基準位置に位置していると、ブラシ毛材１１が塗布液を塗布する塗布部長さＬ１であり、ブラシ毛材束間の塗布液溜り２６に基準量の塗布液が溜まり、ブラシ毛材１１により標準塗布が行われる。
【００２９】
この調整シャフト２２を基準位置から少量塗布方向に回動すると、図６（ｂ）に示すように、ブラシ毛材１１が塗布液を塗布する塗布部長さＬ２と短くなり、ブラシ毛材束間の塗布液溜り２６に少量の塗布液が溜まり、ブラシ毛材１１により少量塗布が行われる。
【００３０】
この調整シャフト２２を基準位置から多量塗布方向に回動すると、図６（ｃ）に示すように、ブラシ毛材１１が塗布液を塗布する塗布部長さＬ３と長くなり、ブラシ毛材束間の塗布液溜り２６に多量の塗布液が溜まり、ブラシ毛材１１により多量塗布が行われる。  
【００３１】
（ブラシ間部形成部材の組み付け構成）
ブラシ間部形成部材２４は、図７に示すように、調整シャフト２２に組み付けることができる。この実施の形態では、ブラシ間部形成部材２４をコイルスプリング２４ａで構成し、コイルスプリング２４ａをブラシ部材１０にねじ込み、コイルスプリング２４ａの基部２４ａをブラシ部材１０の基部から突出させる。
【００３２】
ブラシ部材１０の芯材１２を調整シャフト２２の先端部２２ｂに差し込み、接続リング３０を組み付けると、接続リング３０の段部３０ａによりコイルスプリング２４ａの基部２４ａ１が先端部２２ｂに押圧された状態となり、接続リング３０の基部３０ｂをカシメて調整シャフト２２の先端部２２ｂに固定する。図７（ａ）の実施の形態では、コイルスプリング２４ａの基部２４ａ１を調整シャフト２２の先端部２２ｂに当接し、接続リング３０の段部３０ａで押圧支持しているが、図７（ｂ）の実施の形態では、調整シャフト２２の先端部２２ｂにガイド突起２２ｂ２を設けてコイルスプリング２４ａの基部２４ａ１をさらに確実に支持している。
【００３３】
ブラシ間部形成部材２４は、図８に示すように、ブラシ部材１０の芯材１２に組み付けることができる。この実施の形態では、ブラシ間部形成部材２４をコイルスプリング２４ａで構成し、コイルスプリング２４ａをブラシ部材１０にねじ込み、コイルスプリング２４ａの基部２４ａ１をブラシ部材１０の芯材１２に固定する。      
【００３４】
図８（ａ）の実施の形態では、コイルスプリング２４ａの基部２４ａ１を芯材１２の基部１２ａに渦巻状に巻き付けて固定し（図８（ｄ））、または先端を挟むようにしてのの字状に巻き付けて固定する（図８（ｅ））。
【００３５】
図８（ｂ）の実施の形態では、コイルスプリング２４ａをブラシ部材１０の全長に組み付け、コイルスプリング２４ａの基部２４ａ１を芯材１２の基部１２ａに巻き付けて押圧し変形させて固定する（図８（ｆ））。
【００３６】
図８（ｃ）の実施の形態では、図８（ｂ）の実施の形態と同様にコイルスプリング２４ａの基部２４ａ１を芯材１２の基部１２ａに固定するが、コイルスプリング２４ａはブラシ部材１０の先端側には組み付けないで、ブラシ部材１０を先細りにしている。
【００３７】
ブラシ間部形成部材２４は、図９に示すように、コイルスプリング２４ａで構成し、このコイルスプリング２４ａの基部２４ａ１を調整シャフト２２の先端部２２ｂに固定する。図９（ａ）の実施の形態では、コイルスプリング２４ａをブラシ部材１０の全長に組み付け、コイルスプリング２４ａの基部２４ａ１を調整シャフト２２の先端部２２ｂに押圧して固定する。図９（ｂ）の実施の形態では、コイルスプリング２４ａをブラシ部材１０の先端側には組み付けないで先細りにしている。
【００３８】
このコイルスプリング２４ａの基部２４ａ１を調整シャフト２２の先端部２２ｂに押圧して固定する構成は、図１０に示すように実施される。この実施の形態は、コイルスプリング２４ａが左回転することを規制する構成であり、調整シャフト２２の先端部２２ｂに取付孔２２ｂ１１が軸方向に形成され、さらに凹部２２ｂ１２とストッパ２２ｂ１３が形成されている。ブラシ部材１０の芯材１２を取付孔２２ｂ１１に差し込み、コイルスプリング２４ａの基部２４ａ１をブラシ部材１０に組み付け、コイルスプリング２４ａの基部２４ａ１を調整シャフト２２の先端部２２ｂに位置させ、先端２４ａ２をストッパ２２ｂ１３に突き当て、この状態で基部２４ａ１を打ち付けて凹部２２ｂ１２に係合するように曲げる。コイルスプリング２４ａは、基部２４ａ１が凹部２２ｂ１２に係合し、かつ先端２４ａ２がストッパ２２ｂ１３に当接することによって左回転が規制される。
【００３９】
コイルスプリング２４ａが右回転することを規制する構成は、ストッパ２２ｂ１３の形成される位置が異なるだけで図１０の実施の形態と同様に構成されるから説明を省略する。
【００４０】
（ブラシ間部形成部材の実施の形態）
ブラシ間部形成部材２４は、図１乃至図１０の実施の形態ではコイルスプリング２４ａで構成したが、図１１に示すように、直線方向に延びる複数の柱部材２４ｂで構成してもよい。
【００４１】
この実施の形態では、直線方向に延びる複数の柱部材２４ｂを円状に配置し、この基部２４ｂ１を調整シャフト２２の先端部２２ｂに一体に形成し、または複数の柱部材２４ｂを中空シャフト２２の先端部２２ａに取り付ける。複数の柱部材２４ｂを取り付ける構成は、例えば複数の柱部材２４ｂの基部２４ｂ１を取付リング２４ｃに一体に形成し、取付リング２４ｃを調整シャフト２２の先端部２２ｂに取り付けるようにしてもよい（図１１（ｃ））。
【００４２】
ブラシ間部形成部材２４は、図１２乃至図１４に示すように筒状部材２４ｄで構成してもよく、筒状部材２４ｄの基部２４ｄ１を、中空シャフト２２の先端部２２ｂに取り付け、または中空シャフト２２の先端部２２ｂに一体形成する。  
【００４３】
図１２の実施の形態では、筒状部材２４ｄにねじ状の溝２４ｄ１１が形成され、  図１３の実施の形態では、筒状部材２４ｄにらせん状の溝２４ｄ１２が形成され、ねじ状の溝２４ｄ１１、らせん状の溝２４ｄ１２によってブラシ部材１０のブラシ毛材１１を複数のブラシ毛材束に束ねることにより、ブラシ毛材束間に塗布液溜りを形成する。
【００４４】
図１４の実施の形態では、筒状部材２４ｄに直線状の溝２４ｄ１３が形成され、直線状の溝２４ｄ１３によってブラシ部材１０のブラシ毛材１１を複数のブラシ毛材束に束ねることにより、ブラシ毛材束間に塗布液溜りを形成する。
【産業上の利用可能性】
【００４５】
この発明は、特にマスカラブラシや毛染め用ブラシのように、塗布対象毛にマスカラや毛染め液などの塗布液を塗布する場合に適用して好適な液塗布具に適用でき、ブラシ毛材が塗布液を塗布する塗布部長さを変化させて任意の塗布量を実現し、ユーザが多量塗布、少量塗布など自由に選ぶことが可能である。
【符号の説明】
【００４６】
１  液塗布具
１０  ブラシ部材
１１  ブラシ毛材
１２  芯材
２０  シャフト
２１  中空シャフト
２１ａ  頭部のキャップ
２１ａ１  環状凹部
２１ａ２  ねじ
２１ｂ  中空シャフト２１の先端部
２２  調整シャフト
２２ａ  頭部
２２ａ１  環状突部
２２ａ２  ローレット部
２２ｂ  調整シャフト２２の先端部
２２ｂ１，  ２１ｂ２  段部
２３，３０  接続リング
２３ａ  段部
２４  ブラシ間部形成部材
２４ａ  コイルスプリング
２４ｂ  柱部材
２４ｄ  筒状部材
２４ａ１  コイルスプリング２４ａの基部
２５  シール部材
２６  塗布液溜り
【図１】
2018079143.tif 000003
【図２】
2018079143.tif 000004
【図３】
2018079143.tif 000005
【図４】
2018079143.tif 000006
【図５】
2018079143.tif 000007
【図６】
2018079143.tif 000008
【図７】
2018079143.tif 000009
【図８】
2018079143.tif 000010
【図９】
2018079143.tif 000011
【図１０】
2018079143.tif 000012
【図１１】
2018079143.tif 000013
【図１２】
2018079143.tif 000014
【図１３】
2018079143.tif 000015
【図１４】
2018079143.tif 000016
【手続補正書】
【提出日】平成28年11月18日(2016.11.18)
【手続補正１】
【補正対象書類名】図面
【補正対象項目名】図１
【補正方法】変更
【補正の内容】
【図１】
2018079143.tif 000017